(57)【要約】【課題】大腿骨遠位端の骨切除の際、切除ガイド部が大腿骨遠位端から浮き上がるのを防止できる、人工膝関節置換術用手術器具を提供する。【解決手段】大腿骨遠位端１０１を切除する切除刃の切除方向をガイドするスリット１２，１３，１４ａ，１４ｂが設けられた切除ガイド部２と、大腿骨遠位端１０１に設置された切除ガイド部２を大腿骨遠位端１０１に向かって押圧可能な押圧部３と、を備える人工膝関節置換術用手術器具１を対象とする。押圧部３は、押圧部３の軸部３１の一方の端部側に設けられ切除ガイド部２に当接する当接部３５、を含む。切除ガイド部２には、切除ガイド部２が大腿骨遠位端１０１に設置された状態において当接部３５が当接する被当接部１８、が設けられている。【選択図】図７
2018166637.tif 000002
【特許請求の範囲】
【請求項１】
大腿骨遠位端を切除する切除刃の切除方向をガイドするスリット、及び前記大腿骨遠位端に固定するための固定ピンが挿入される固定ピン孔、が設けられた切除ガイド部と、
前記大腿骨遠位端に設置された前記切除ガイド部を前記大腿骨遠位端に向かって押圧可能な押圧部と、を備え、
前記押圧部は、
軸部と、
前記軸部の一方の端部側に設けられ、前記切除ガイド部に対して着脱自在に連結される連結部、又は前記切除ガイド部に当接する当接部と、
前記軸部の他方の端部側に設けられ、術者に把持される部分として構成される把持部と、
を含み、
前記切除ガイド部には、該切除ガイド部が前記大腿骨遠位端に設置された状態において、前記連結部が着脱自在に連結される被連結部、又は前記当接部が当接する被当接部、が設けられていることを特徴とする、人工膝関節置換術用手術器具。
【請求項２】
請求項１に記載の人工膝関節置換術用手術器具において、
前記当接部及び前記被当接部の一方は、凹部として設けられ、前記当接部及び前記被当接部の他方は、前記凹部の内面に対して摺動自在な状態で当接する凸部として設けられていることを特徴とする、人工膝関節置換術用手術器具。
【請求項３】
請求項２に記載の人工膝関節置換術用手術器具において、
前記凸部の外面及び前記凹部の内面は、球面の一部を含む形状に形成されていることを特徴とする、人工膝関節置換術用手術器具。
【請求項４】
請求項３に記載の人工膝関節置換術用手術器具において、
前記凹部の内面に含まれる球面の曲率半径は、前記凸部の外面に含まれる球面の曲率半径よりも大きいことを特徴とする、人工膝関節置換術用手術器具。
【請求項５】
請求項２に記載の人工膝関節置換術用手術器具において、
前記凸部の外面は、円錐形状の少なくとも一部の形状の部分を有していることを特徴とする、人工膝関節置換術用手術器具。
【請求項６】
請求項１に記載の人工膝関節置換術用手術器具において、
前記連結部及び前記被連結部の一方は、貫通孔が設けられた部分を含んで構成され、前記連結部及び前記被連結部の他方は、前記貫通孔に引っかけられる鉤爪状の部分を含んで構成されていることを特徴とする、人工膝関節置換術用手術器具。
【請求項７】
請求項１に記載の人工膝関節置換術用手術器具において、
前記被連結部は、前記連結部が摺動自在に嵌め込まれる連結用溝を含んで構成されていることを特徴とする、人工膝関節置換術用手術器具。
【請求項８】
請求項７に記載の人工膝関節置換術用手術器具において、
前記連結用溝は、前記大腿骨遠位端に設置された前記切除ガイド部を前記大腿骨遠位端から抜去するための抜去治具の端部も該連結用溝に嵌め込まれるように構成されていることを特徴とする、人工膝関節置換術用手術器具。
【請求項９】
請求項１から請求項８のいずれか１項に記載の人工膝関節置換術用手術器具において、
前記軸部には、前記連結部と前記把持部との間において、又は前記当接部と前記把持部との間において、屈曲するように延びる屈曲部が設けられていることを特徴とする、人工膝関節置換術用手術器具。
【発明の詳細な説明】
【技術分野】
【０００１】
本発明は、人工膝関節置換術の際に用いられる人工膝関節置換術用手術器具に関する。
【背景技術】
【０００２】
人工膝関節置換術では、大腿骨遠位端において骨切除が行われる際、例えば特許文献１、及び非特許文献１の３７頁に開示されるような切除ガイド部が用いられる。人工膝関節置換術では、切除ガイド部が、固定ピンによって大腿骨遠位端の骨切り面に固定される。この切除ガイド部のスリットにボーンソー（切除刃）を挿入することにより、大腿骨遠位端における所望の位置を切除することができる。このように形成された骨切り面を設置面として、人工膝関節の大腿骨コンポーネントが設置される。
【先行技術文献】
【特許文献】
【０００３】
【特許文献１】米国特許第８３１３４９１号明細書
【非特許文献】
【０００４】
【非特許文献１】デピュイ(DePuy)、「Ａｔｔｕｎｅ  Ｋｎｅｅ  Ｓｙｓｔｅｍ」、[online]、［平成２９年３月６日検索］、インターネット〈http://synthes.vo.llnwd.net/o16/LLNWMB8/INT%20Mobile/Synthes%20International/Product%20Support%20Material/legacy_DePuy_PDFs/DSUS-JRC-0115-0680-1_LR.pdf〉
【発明の概要】
【発明が解決しようとする課題】
【０００５】
しかしながら、上述のようにしてボーンソーで骨切除を行っている最中に、固定ピンによって大腿骨遠位端に固定された切除ガイド部が、ボーンソーの振動によって大腿骨遠位端から浮き上がってきてしまう場合がある。そうなると、予定していた位置とは異なる位置で骨切除を行ってしまうこととなる。
【０００６】
本発明は、上記課題を解決するためのものであり、その目的は、大腿骨遠位端の骨切除の際、切除ガイド部が大腿骨遠位端から浮き上がるのを防止できる、人工膝関節置換術用手術器具を提供することである。
【課題を解決するための手段】
【０００７】
（１）上記目的を達成するための本発明のある局面に係る人工膝関節置換術用手術器具は、大腿骨遠位端を切除する切除刃の切除方向をガイドするスリット、及び前記大腿骨遠位端に固定するための固定ピンが挿入される固定ピン孔、が設けられた切除ガイド部と、前記大腿骨遠位端に設置された前記切除ガイド部を前記大腿骨遠位端に向かって押圧可能な押圧部と、を備え、前記押圧部は、軸部と、前記軸部の一方の端部側に設けられ、前記切除ガイド部に対して着脱自在に連結される連結部、又は前記切除ガイド部に当接する当接部と、前記軸部の他方の端部側に設けられ、術者に把持される部分として構成される把持部と、を含み、前記切除ガイド部には、該切除ガイド部が前記大腿骨遠位端に設置された状態において、前記連結部が着脱自在に連結される被連結部、又は前記当接部が当接する被当接部、が設けられている。
【０００８】
この構成によれば、切除ガイド部が固定ピンによって大腿骨遠位端に固定された後、切除刃がその切除ガイド部のスリットにガイドされることにより、大腿骨遠位端における各部位を適切な位置で切断することができる。
【０００９】
また、この構成によれば、上述のようにして切除ガイド部のスリットに沿って大腿骨遠位端が切除される際、押圧部によって切除ガイド部が大腿骨遠位端側へ押圧される。これにより、切除刃によって大腿骨遠位端が切除される際、切除刃の振動によって固定ピンが徐々に抜けてきてしまうことに起因する、大腿骨遠位端に対する切除ガイド部の浮き上がり、を防止できる。
【００１０】
しかも、この構成によれば、押圧部の当接部が切除ガイド部の被当接部に当接した状態で、又は押圧部の連結部が切除ガイド部の被連結部に連結した状態で、切除ガイド部を押圧部によって押圧することができる。これにより、大腿骨遠位端に対する切除ガイド部の浮き上がりを確実に防止することができる。
【００１１】
従って、この構成によれば、大腿骨遠位端の骨切除の際、切除ガイド部が大腿骨遠位端から浮き上がるのを防止できる、人工膝関節置換術用手術器具を提供できる。
【００１２】
（２）好ましくは、前記当接部及び前記被当接部の一方は、凹部として設けられ、前記当接部及び前記被当接部の他方は、前記凹部の内面に対して摺動自在な状態で当接する凸部として設けられている。
【００１３】
この構成によれば、凹部として設けられた当接部及び被当接部の一方に、凸部として設けられた当接部及び被当接部の他方が当接した状態で、押圧部によって切除ガイド部が押圧される。すなわち、この構成によれば、凹部の内側に凸部が嵌まり込むため、押圧部によって切除ガイド部が押圧される際に、押圧部が切除ガイド部から滑って切除ガイド部から外れてしまうことを防止できる。
【００１４】
（３）更に好ましくは、前記凸部の外面及び前記凹部の内面は、球面の一部を含む形状に形成されている。
【００１５】
この構成によれば、押圧部によって切除ガイド部が押圧される際、凸部に含まれる球面の一部と、凹部に含まれる球面の一部とが面接触する。すなわち、この構成によれば、押圧部の当接部を、切除ガイド部の被当接部に対して、比較的広範囲に亘って密着させることができるため、押圧部からの押圧力を切除ガイド部に対して確実に伝えることができる。
【００１６】
しかも、この構成によれば、凸部及び凹部の双方に含まれる球面の一部同士が密着した状態で摺動可能である。これにより、例えば切除ガイド部のスリットに切除刃を挿入して大腿骨遠位端を切除する際に押圧部が邪魔で大腿骨遠位端の切除がしにくい場合、凸部及び凹部の球面の一部同士が密着した状態を維持しつつ、切除ガイド部に対する押圧部の傾きを変えて、押圧部を切除刃から離間させることが可能となる。すなわち、この構成によれば、大腿骨遠位端の切除を行う際における切除刃と押圧部との干渉を防止できる。
【００１７】
（４）更に好ましくは、前記凹部の内面に含まれる球面の曲率半径は、前記凸部の外面に含まれる球面の曲率半径よりも大きい。
【００１８】
この構成によれば、例えば、凹部の内面に含まれる球面の曲率半径と凸部の外面に含まれる曲率半径とが同じである場合と比べて、凹部と凸部とを密着させつつ、押圧部を切除ガイド部に対して大きく傾けることができる。すなわち、この構成によれば、切除刃で大腿骨遠位端を切除する際に押圧部を切除刃から大きく離すことができるため、切除刃と押圧部との干渉を防止できる。
【００１９】
（５）好ましくは、前記凸部の外面は、円錐形状の少なくとも一部の形状の部分を有している。
【００２０】
この構成によれば、凸部の外面が有する円錐形状の少なくとも一部の形状の部分によって、切除ガイド部を大腿骨遠位端に対して押圧することができる。
【００２１】
（６）好ましくは、前記連結部及び前記被連結部の一方は、貫通孔が設けられた部分を含んで構成され、前記連結部及び前記被連結部の他方は、前記貫通孔に引っかけられる鉤爪状の部分を含んで構成されている。
【００２２】
この構成によれば、押圧部によって切除ガイド部が押圧される際、一方が他方に対して引っ掛けられた状態となる。よって、押圧部によって切除ガイド部を押圧する際、押圧部が切除ガイド部から外れてしまうことを防止できる。言い換えれば、押圧部による切除ガイド部の押圧状態を維持することができる。
【００２３】
（７）好ましくは、前記被連結部は、前記連結部が摺動自在に嵌め込まれる連結用溝を含んで構成されている。
【００２４】
この構成によれば、被連結部を、溝状に形成された連結用溝で構成できるため、被連結部の構成を簡素化できる。
【００２５】
（８）更に好ましくは、前記連結用溝は、前記大腿骨遠位端に設置された前記切除ガイド部を前記大腿骨遠位端から抜去するための抜去治具の端部も該連結用溝に嵌め込まれるように構成されている。
【００２６】
この構成によれば、押圧部を切除ガイド部に対して連結するための被連結部として機能する連結用溝を、抜去治具の端部を切除ガイド部に対して嵌め込むためにも用いることができる。すなわち、この構成によれば、被連結部としての連結用溝を他の用途にも流用することができるため、切除ガイド部の構成を簡略化できる。
【００２７】
（９）好ましくは、前記軸部には、前記連結部と前記把持部との間において、又は前記当接部と前記把持部との間において、屈曲するように延びる屈曲部が設けられている。
【００２８】
この構成によれば、押圧部で切除ガイド部を押圧する際、押圧部を切除ガイド部から大きく外側へ離間させることができる。これにより、大腿骨遠位端の切除を行う際における切除刃と押圧部との干渉を防止できる。
【発明の効果】
【００２９】
本発明によると、大腿骨遠位端の骨切除の際、切除ガイド部が大腿骨遠位端から浮き上がるのを防止できる、人工膝関節置換術用手術器具を提供できる。
【図面の簡単な説明】
【００３０】
【図１】本発明の実施形態に係る人工膝関節置換術用手術器具を示す図である。
【図２】図１に示す切除ガイド部の正面図である。
【図３】図３（Ａ）は、図２に示す切除ガイド部の斜視図、図３（Ｂ）は、図２に示す切除ガイド部を図３（Ａ）とは別の方向から視た斜視図である。
【図４】図４（Ａ）は、図２のＩＶＡ−ＩＶＡ線における断面図である。また、図４（Ｂ）は、図４（Ａ）に示す被当接凹部に押圧器具の当接部が当接している状態を示す断面図である。
【図５】切除ガイド部が大腿骨遠位端に固定された状態を示す図である。
【図６】図１に示す押圧器具の斜視図である。
【図７】図１に示す人工膝関節置換術用手術器具の使用形態の一例を示す斜視図である。
【図８】人工膝関節置換術用手術器具の使用形態の一例を示す側面図であって、図８（Ａ）は、ボーンソーが前側スリットに挿入される際の状態を示す図、図８（Ｂ）は、ボーンソーが後側スリットに挿入される際の状態を示す図、である。
【図９】変形例に係る切除ガイド部の被当接凹部の断面部分を示す図であって、押圧器具の当接部が当接している状態を示す図である。
【図１０】図１０（Ａ）は、変形例に係る押圧器具の当接部の形状を示す図であって、図９（Ｂ）に示す被当接凹部に当接している状態を示す図である。また、図１０（Ｂ）は、図１０（Ａ）に示す当接部が図９（Ｃ）に示す被当接凹部に当接している状態を示す図である。また、図１０（Ｃ）は、図１０（Ａ）に示す当接部が図９（Ｅ）に示す被当接凹部に当接している状態を示す図である。
【図１１】図１１（Ａ）は、変形例に係る押圧器具の当接部の形状を示す図であって、図９（Ｄ）に示す被当接凹部に当接している状態を示す図である。また、図１１（Ｂ）は、変形例に係る押圧器具の当接部が、変形例に係る切除ガイド部の被当接部に当接している状態を示す図である。また、図１１（Ｃ）は、図１１（Ｂ）に示す当接部が、変形例に係る切除ガイド部の被当接部に当接している状態を示す図である。
【図１２】図１２（Ａ）は、変形例に係る押圧器具の連結部の形状を示す図であって、変形例に係る切除ガイド部の連結用溝（被連結部）に連結している状態を示す図である。また、図１２（Ｂ）は、図１２（Ａ）に示す連結用溝に抜去治具の端部が連結している状態を模式的に示す図である。
【図１３】変形例に係る押圧器具の斜視図である。
【図１４】変形例に係る人工膝関節置換術用手術器具の使用形態の一例を示す斜視図である。
【図１５】変形例に係る人工膝関節置換術用手術器具の使用形態の一例を示す斜視図である。
【発明を実施するための形態】
【００３１】
図１は、本発明の実施形態に係る人工膝関節置換術用手術器具１を示す図である。また、図２は、図１に示す切除ガイド部２の正面図である。また、図３（Ａ）は、図２に示す切除ガイド部２の斜視図、図３（Ｂ）は、図２に示す切除ガイド部２を図３（Ａ）とは別の方向から視た斜視図である。また、図４（Ａ）は、図２のＩＶＡ−ＩＶＡ線における断面図である。また、図４（Ｂ）は、図４（Ａ）に示す被当接凹部１８に押圧器具３の当接部３５が当接している状態を示す断面図である。また、図５は、切除ガイド部２が大腿骨遠位端１０１に固定された状態を示す斜視図である。
【００３２】
なお、以下で説明する各図について、説明の便宜上、上と記載された矢印が指示する方向を上側又は上方、下と記載された矢印が指示する方向を下側又は下方、前と記載された矢印が指示する方向を前側又は前方、後と記載された矢印が指示する方向を後側又は後方、右と記載された矢印が指示する方向を右側、左と記載された矢印が指示する方向を左側、と称する。また、図２，３，５，７，８，１１，１２，１４，１５における上下方向、前後方向、及び左右方向は、それぞれ、患者の人体の上下方向、前後方向、及び左右方向に対応する。なお、図６，１３における上下方向、前後方向、及び左右方向は、押圧器具の形状を説明するためのものであって、他の図の上下方向、前後方向、及び左右方向とは必ずしも対応しない。
【００３３】
本実施形態に係る人工膝関節置換術用手術器具１は、人工膝関節置換術で用いられる。人工膝関節置換術とは、例えば変形性膝関節症や慢性関節リウマチ等により膝関節が高度に変形した患者の膝関節を人工膝関節へ置換する手術である。
【００３４】
本実施形態に係る人工膝関節置換術用手術器具１は、図１を参照して、切除ガイド部２と、押圧器具３（押圧部）とを備えている。
【００３５】
［切除ガイド部の構成］
切除ガイド部２は、図２及び図３を参照して、上下方向に厚みを有するブロック状に形成されている。切除ガイド部２は、本体部１１及び固定部２０を有し、これらが一体に形成されている。本体部１１は、切除ガイド部２を上下方向から視た場合における該切除ガイド部２の中央部分を構成する部分であって、矩形状に形成されている。固定部２０は、本体部１１における左右両縁部のそれぞれから外側へやや延びるように形成された部分である。各固定部２０には、前後方向に間隔を空けて２つの固定ピン孔２１が形成されている。固定ピン孔２１は、切除ガイド部２を大腿骨遠位端１０１に固定するための固定ピン５が挿入される孔である。切除ガイド部２は、患者の大腿骨１００の大腿骨遠位端１０１に固定される際、固定ピン５が固定ピン孔２１を介して大腿骨遠位端１０１に打ち込まれることにより、大腿骨遠位端１０１に対して固定される。
【００３６】
切除ガイド部２には、複数のスリット１２，１３，１４ａ，１４ｂが形成されている。具体的には、切除ガイド部２には、前側スリット１２と、後側スリット１３と、前側チャンファー用スリット１４ａと、後側チャンファー用スリット１４ｂと、が形成されている。これら複数のスリット１２，１３，１４ａ，１４ｂは、大腿骨遠位端１０１を切除するボーンソー５０（切除刃、図８において仮想線で図示）の切除方向をガイドするためのものである。
【００３７】
前側スリット１２は、切除ガイド部２が大腿骨遠位端１０１に設置された状態において、大腿骨遠位端１０１の前面側が切除される切除方向に沿って延びている。前側スリット１２は、大腿骨遠位端１０１の前面側を切除するためのものである。前側スリット１２は、図２及び図３に示すように、切除ガイド部２の本体部１１における前側の部分に形成されている。前側スリット１２は、左右方向に細長いスリット状に形成され、本体部１１を上下方向において貫通している。
【００３８】
後側スリット１３は、切除ガイド部２が大腿骨遠位端１０１に設置された状態において、大腿骨遠位端１０１の後面側が切除される切除方向に沿って延びている。後側スリット１３は、大腿骨遠位端１０１の後面側を切除するためのものである。後側スリット１３は、図２及び図３に示すように、切除ガイド部２の後側の部分に形成されている。後側スリット１３は、左右方向に細長いスリット状に形成され、本体部１１を上下方向において貫通している。
【００３９】
前側チャンファー用スリット１４ａは、大腿骨遠位端１０１における前側の部分にチャンファー面を形成するためのものである。前側チャンファー用スリット１４ａは、図２及び図３に示すように、切除ガイド部２の前面中央部分から該切除ガイド部２の裏面における中央部分と左右両側とに向かって延びるように形成されている。前側チャンファー用スリット１４ａは、上下左右方向に延びる面に対して斜め方向に延びるスリット状に形成されている。
【００４０】
後側チャンファー用スリット１４ｂは、大腿骨遠位端１０１における後側の部分にチャンファー面を形成するためのものである。後側チャンファー用スリット１４ｂは、図２及び図３に示すように、前側チャンファー用スリット１４ａよりも後側であって、且つ切除ガイド部２の前後方向中央部分における左右両側に形成されている。後側チャンファー用スリット１４ｂは、上下左右方向に延びる面に対して斜め方向に延びるスリット状に形成されている。
【００４１】
また、切除ガイド部２の本体部１１には、一対の基準孔１５，１５、一対の内旋孔１６，１６、及び一対の外旋孔１７，１７が形成されている。各孔１５，１６，１７は、本体部１１を上下方向に貫通する貫通孔であって、互いに異なる孔として構成されている。これらの孔１５，１６，１７は、詳しい説明は省略するが、術前計画に基づく切除ガイド部２の設置位置である基準位置に切除ガイド部２が配置された状態から、該切除ガイド部２を基準位置に対して回旋させた状態で大腿骨遠位端１０１に設置する際に用いられる孔である。
【００４２】
また、切除ガイド部２の本体部１１には、被当接凹部１８（被当接部、凹部）が形成されている。
【００４３】
被当接凹部１８は、詳しくは後述する押圧器具３の先端部（当接部３５）が当接する部分として設けられている。被当接凹部１８は、切除ガイド部２の本体部１１の中央部分よりもやや前方に形成された凹状の部分である。被当接凹部１８は、本体部１１の下面から上側へ向かってやや凹み、その内面１８ａの形状が、球面の一部を含む略半球面状に形成されている（図４（Ａ）参照）。
【００４４】
［押圧器具の構成］
図６は、図１に示す押圧器具３の斜視図である。押圧器具３は、大腿骨遠位端１０１に設置された切除ガイド部２を大腿骨遠位端１０１に向かって押圧することにより使用される。押圧器具３は、ボーンソー５０をスリット１２，１３，１４ａ，１４ｂに沿って動かして大腿骨遠位端１０１における各部位を切除する際に、ボーンソー５０の振動に起因して切除ガイド部２が大腿骨遠位端１０１から浮き上がってきてしまうことを防止するためのものである。
【００４５】
押圧器具３は、全体的な形状が上下方向に細長い棒状に形成された器具である。押圧器具３は、軸部３１と、当接部３５（凸部）と、把持部３９とを含み、これらが一体に設けられている。
【００４６】
軸部３１は、第１軸部３２と、該第１軸部３２と一体に形成された第２軸部３３とを有している。第１軸部３２は、上下方向に延びる円柱状に形成された部分である。第２軸部３３は、第１軸部３２よりも外径が小さい円柱状に形成された部分であって、第１軸部３２から上方へ延びるように設けられている。第１軸部３２及び第２軸部３３は、同軸状に配置されている。
【００４７】
当接部３５は、軸部３１の上端面側に設けられた部分であって、押圧器具３の先端部として設けられている。当接部３５は、切除ガイド部２の被当接凹部１８の内面１８ａに対して摺動自在な状態で当接する部分として設けられている。当接部３５は、上方へ向かって半球状に膨出するように形成されている。これにより、当接部３５の外面３５ａは、球面の一部を含む半球面状に形成されている。図４（Ｂ）を参照して、切除ガイド部２の被当接凹部１８の内面１８ａの曲率半径Ｒ１は、当接部３５の外面３５ａの曲率半径Ｒ２よりも大きくなるように設定されている。
【００４８】
把持部３９は、軸部３１の下端面側に設けられた部分である。把持部３９は、押圧器具３が術者によって使用される際に術者に把持される部分として構成されている。把持部３９は、軸部３１の下端面から下方へ延びるように形成されている。把持部３９における前側の部分及び後側の部分は、平坦状に形成されている。また、把持部３９における右側の部分及び左側の部分には、それぞれ、上下方向に間隔を空けて形成された４つの凹部３９ａが形成されている。このように、把持部３９の表面に凹凸を設けることにより、術者は、滑ることなく把持部３９をしっかりと把持することができる。
【００４９】
［使用方法］
図７は、図１に示す人工膝関節置換術用手術器具１の使用形態の一例を示す斜視図である。また、図８は、人工膝関節置換術用手術器具１の使用形態の一例を示す側面図であって、図８（Ａ）は、ボーンソー５０が前側スリット１２に挿入される際の状態を示す図、図８（Ｂ）は、ボーンソー５０が後側スリット１３に挿入される際の状態を示す図、である。本実施形態に係る人工膝関節置換術用手術器具１は、以下のように使用することができる。
【００５０】
図５を参照して、術者は、まず、患者の大腿骨１００の大腿骨遠位端１０１に形成された骨切り面１０１ａに切除ガイド部２を固定する。具体的には、術者は、大腿骨遠位端１０１の骨切り面１０１ａに対して、術前計画に基づく基準位置に切除ガイド部２を配置した後、固定ピン５を、切除ガイド部２の固定ピン孔２１（図２参照）を介して大腿骨遠位端１０１に打ち込む。これにより、大腿骨遠位端１０１に切除ガイド部２を固定することができる（図５参照）。
【００５１】
その後、術者は、内外側の靭帯のバランスを確認し、その靭帯バランスが適切であれば、その状態における切除ガイド部２のスリット１２，１３，１４ａ，１４ｂに沿ってボーンソー５０を動かして、大腿骨遠位端１０１における各部位を切除する。
【００５２】
ところで、上述のようにしてボーンソー５０を用いて大腿骨遠位端１０１を切除する際、ボーンソー５０の振動が大腿骨遠位端１０１に伝わり、その振動によって固定ピン５が徐々に抜け、それに伴い切除ガイド部２も大腿骨遠位端１０１から徐々に浮き上がってきてしまう虞がある。そうなると、スリット１２，１３，１４ａ，１４ｂの位置が術前計画からずれてしまうため、それらのスリット１２，１３，１４ａ，１４ｂに沿って大腿骨遠位端１０１が切除されることにより形成される、大腿骨コンポーネントの設置面にもずれが生じる。
【００５３】
この点につき、本実施形態に係る人工膝関節置換術用手術器具１によれば、上述のような問題を解消することができる。具体的には、ボーンソー５０によって大腿骨遠位端１０１の各部位が切除される際、押圧器具３の当接部３５が切除ガイド部２の被当接凹部１８に当接された状態で、大腿骨遠位端１０１側へ押圧される（図７参照）。そうすると、上述したような、大腿骨遠位端１０１に対する切除ガイド部２の浮き上がりが防止でき、切除ガイド部２のスリット１２，１３，１４ａ，１４ｂのずれがなくなる。これにより、大腿骨遠位端１０１を適切な位置で切除することができる。
【００５４】
なお、術者は、いずれのスリット１２，１３，１４ａ，１４ｂにボーンソー５０が挿入されるかに応じて、押圧器具３の向きを調整することが可能である。具体的には、図８（Ａ）を参照して、前面スリット１２にボーンソー５０を挿入して大腿骨遠位端１０１における前側の部分を切除する場合、押圧器具３を切除ガイド部２に押しつけたままの状態で、該押圧器具３における把持部３９側の部分を後方へ傾けることができる。こうすることで、大腿骨遠位端１０１の切断時における、ボーンソー５０と押圧器具３との干渉を回避できる。
【００５５】
同様に、図８（Ｂ）を参照して、後面スリット１３にボーンソー５０を挿入して大腿骨遠位端１０１における後側の部分を切除する場合、押圧器具３を切除ガイド部２に押しつけたままの状態で、該押圧器具３における把持部３９側の部分を前方へ傾けることができる。こうすることで、大腿骨遠位端１０１の切断時における、ボーンソー５０と押圧器具３との干渉を回避できる。
【００５６】
［効果］
以上のように、本実施形態に係る人工膝関節置換術用手術器具１によれば、切除ガイド部２が固定ピン５によって大腿骨遠位端１０１に固定された後、ボーンソー５０がその切除ガイド部２のスリット１２，１３，１４ａ，１４ｂにガイドされることにより、大腿骨遠位端１０１における各部位を適切な位置で切断することができる。
【００５７】
また、人工膝関節置換術用手術器具１によれば、上述のようにして切除ガイド部２のスリット１２，１３，１４ａ，１４ｂに沿って大腿骨遠位端１０１が切除される際、押圧器具３によって切除ガイド部２が大腿骨遠位端１０１側へ押圧される。これにより、ボーンソー５０によって大腿骨遠位端１０１が切除される際、ボーンソー５０の振動によって固定ピン５が徐々に抜けてきてしまうことに起因する、大腿骨遠位端１０１に対する切除ガイド部２の浮き上がり、を防止できる。
【００５８】
しかも、人工膝関節置換術用手術器具１によれば、押圧器具３の当接部３５が切除ガイド部２の被当接凹部１８に当接した状態で、切除ガイド部２を押圧器具３によって押圧することができる。これにより、大腿骨遠位端１０１に対する切除ガイド部２の浮き上がりを確実に防止することができる。
【００５９】
従って、人工膝関節置換術用手術器具１によれば、大腿骨遠位端１０１の骨切除の際、切除ガイド部２が大腿骨遠位端１０１から浮き上がるのを防止できる、人工膝関節置換術用手術器具を提供できる。
【００６０】
また、人工膝関節置換術用手術器具１によれば、凹部として設けられた被当接凹部１８に凸部として設けられた当接部３５が当接した状態で、押圧器具３によって切除ガイド部２が押圧される。すなわち、人工膝関節置換術用手術器具１によれば、凹部の内側に凸部が嵌まり込むため、押圧器具３によって切除ガイド部２が押圧される際に、押圧器具３が切除ガイド部２から滑って切除ガイド部２から外れてしまうことを防止できる。
【００６１】
また、人工膝関節置換術用手術器具１によれば、押圧器具３によって切除ガイド部２が押圧される際、当接部３５に含まれる球面の一部と、被当接凹部１８に含まれる球面の一部とが面接触する。すなわち、人工膝関節置換術用手術器具１によれば、押圧器具３の当接部３５を、切除ガイド部２の被当接凹部１８に対して、比較的広範囲に亘って密着させることができるため、押圧器具３からの押圧力を切除ガイド部２に対して確実に伝えることができる。
【００６２】
また、人工膝関節置換術用手術器具１によれば、例えば、被当接凹部の内面に含まれる球面の曲率半径と当接部の外面に含まれる曲率半径とが同じである場合と比べて、被当接凹部１８と当接部３５とを密着させつつ、押圧器具３を切除ガイド部２に対して大きく傾けることができる。すなわち、人工膝関節置換術用手術器具１によれば、ボーンソー５０で大腿骨遠位端１０１を切除する際に押圧器具３をボーンソー５０から大きく離すことができるため、ボーンソー５０と押圧器具３との干渉を防止できる。
【００６３】
以上、本発明の実施形態について説明したが、本発明は上述の実施の形態に限られるものではなく、特許請求の範囲に記載した限りにおいて様々な変更が可能である。例えば、次のように変更して実施してもよい。
【００６４】
［変形例］
（１）図９（Ａ）〜図９（Ｅ）は、変形例に係る切除ガイド部の被当接凹部２３〜２７の断面部分を示す図であって、押圧器具の当接部３５が当接している状態を示す図である。
【００６５】
上述した実施形態では、被当接凹部１８の内面１８ａの曲率半径Ｒ１が、当接部３５の曲率半径Ｒ２よりも大きい例を挙げて説明したが、これに限らない。具体的には、図９（Ａ）に示すように、被当接凹部２３の内面２３ａの曲率半径Ｒ３が、当接部３５の曲率半径Ｒ２と同じに設定されていてもよい。或いは、図９（Ｂ）に示すように、被当接凹部２４の内面２４ａの曲率半径Ｒ４が、当接部３５の曲率半径Ｒ２よりも小さくてもよい。
【００６６】
また、上述した実施形態では、被当接凹部１８の内面１８ａが球面の一部を含む形状に形成されている例を挙げて説明したが、これに限らない。具体的には、図９（Ｃ）〜図９（Ｅ）に図示するように、被当接凹部２５〜２７の内面２５ａ〜２７ａが球面の一部を含まない形状であってもよい。
【００６７】
（２）図１０（Ａ）は、変形例に係る押圧器具の当接部４１の形状を示す図であって、図９（Ｂ）に示す被当接凹部２４に当接している状態を示す図である。また、図１０（Ｂ）は、図１０（Ａ）に示す当接部４１が図９（Ｃ）に示す被当接凹部２５に当接している状態を示す図である。また、図１０（Ｃ）は、図１０（Ａ）に示す当接部４１が図９（Ｅ）に示す被当接凹部２７に当接している状態を示す図である。
【００６８】
上述した実施形態では、当接部３５の外面３５ａが、球面の一部を含む形状に形成されている例を挙げて説明したが、これに限らない。具体的には、図１０（Ａ）〜図１０（Ｃ）に示すように、当接部４１の外面４１ａが、円錐形状の少なくとも一部（例えば、円錐の側面）の形状の部分を有していてもよい。この構成によれば、当接部４１の外面４１ａによって、切除ガイド部２を大腿骨遠位端１０１に対して押圧することができる。なお、当接部４１が当接する被当接凹部の形状として、図１０（Ａ）〜図１０（Ｃ）に示す形状の被当接凹部を例示したが、これに限らず、被当接凹部の形状は、これら以外の形状であってもよい。
【００６９】
（３）図１１（Ａ）は、変形例に係る押圧器具の当接部４２の形状を示す図であって、図９（Ｄ）に示す被当接凹部２６に当接している状態を示す図である。本変形例に係る押圧器具の当接部４２は、先端面が平坦状に形成され、その先端面の周縁部がＲ状に形成されている。
【００７０】
（４）図１１（Ｂ）は、変形例に係る押圧器具の当接部４３が、変形例に係る切除ガイド部の被当接部２８に当接している状態を示す図である。また、図１１（Ｃ）は、図１１（Ｂ）に示す押圧器具の当接部４３が、変形例に係る切除ガイド部の被当接部２９に当接している状態を示す図である。
【００７１】
上述した実施形態及び各変形例では、当接部が凸状に形成された凸部として設けられ且つ被当接部が凹状に形成された凹部として設けられる例を挙げて説明したが、これに限らない。具体的には、図１１（Ｂ）及び図１１（Ｃ）に示すように、当接部４３が凹状に形成された凹部として設けられ、被当接部２８，２９が凸状に形成された凸部として設けられていてもよい。被当接部２８は、切除ガイド部の下面４に形成された凹部から下方へ延びるように形成され、その先端部分が球状に形成されている。被当接部２９は、切除ガイド部の下面４から下方へ延びるように形成され、その先端部分が球状に形成されている。
【００７２】
なお、図１１（Ｂ）及び図１１（Ｃ）では、当接部４３の曲率半径と被当接部２８，２９の曲率半径とが同じである例を図示しているが、これに限らず、当接部４３の曲率半径は被当接部２８，２９の曲率半径より大きくてもよい。或いは、当接部４３の曲率半径は被当接部２８，２９の曲率半径より小さくてもよい。
【００７３】
（５）図１２（Ａ）は、変形例に係る押圧器具の連結部４４の形状を示す図であって、変形例に係る切除ガイド部の連結用溝４８（被連結部）に連結している状態を示す図である。また、図１２（Ｂ）は、図１２（Ａ）に示す連結用溝４８に抜去治具６０の端部６２が連結している状態を模式的に示す図である。
【００７４】
本変形例に係る押圧器具には、上記実施形態に係る押圧器具３における当接部３５の代わりに、図１２（Ａ）に示す連結部４４が設けられている。また、本変形例に係る切除ガイド部には、上記実施形態に係る切除ガイド部２における被当接凹部１８の代わりに、図１２（Ａ）に示す連結用溝４８が設けられている。連結用溝４８は、切除ガイド部の下面４を左右方向に延びる溝状に形成されていて、連結部４４が着脱自在且つ摺動自在に連結される。本変形例に係る押圧器具及び切除ガイドでは、押圧器具の連結部４４が切除ガイド部の連結用溝４８に嵌め込まれた状態において（図１２（Ａ）の状態で）、押圧器具が切除ガイド部に対して上下方向に移動不能となる。連結部４４は、連結用溝４８に対して着脱自在に連結される。
【００７５】
また、本変形例に係る切除ガイド部の連結用溝４８には、大腿骨遠位端１０１に固定された状態の切除ガイド部を大腿骨遠位端１０１から抜去するための抜去治具６０の端部６２も嵌合可能である。抜去治具６０は、スライドハンマーのような構成を有しており、その端部６２が連結用溝４８に嵌合可能に構成されている。抜去治具６０では、前記端部６２と一体に設けられた上下方向に細長いシャフト部６１に沿ってハンマー部６５が下方へスライドされて、シャフト部６１の下端部に設けられた被打部６３に打ち付けられる。これにより、切除ガイド部が大腿骨遠位端１０１から離間する方向への力が切除ガイド部に対して加えられる。抜去治具６０では、上述のようにハンマー部６５を被打部６３に打ち付ける動作を１回或いは複数回行うことにより、切除ガイド部を大腿骨遠位端１０１から抜去することができる。
【００７６】
以上のように、本変形例に係る人工膝関節置換術用手術器具によれば、被連結部を、溝状に形成された連結用溝４８で構成できるため、被連結部の構成を簡素化できる。
【００７７】
また、本変形例に係る人工膝関節置換術用手術器具によれば、押圧器具を切除ガイド部に対して連結するための被連結部として機能する連結用溝４８を、抜去治具６０の端部６２を切除ガイド部に対して嵌め込むためにも用いることができる。すなわち、この構成によれば、被連結部としての連結用溝４８を他の用途にも流用することができるため、切除ガイド部の構成を簡略化できる。
【００７８】
（３）図１３は、変形例に係る押圧器具３ａの斜視図である。また、図１４は、変形例に係る人工膝関節置換術用手術器具１ａの使用形態の一例を示す斜視図である。
【００７９】
本変形例に係る押圧器具３ａは、上記実施形態に係る押圧器具３と比べて、軸部の構成が異なっている。以下では、上記実施形態と異なる箇所について主に説明し、それ以外の箇所については説明を省略する。
【００８０】
本変形例に係る押圧器具３ａの軸部３１の第１軸部３４には、当接部３５と把持部３９との間において、該第１軸部３４の中途部分を屈曲するように延びる屈曲部３４ａが設けられている。これにより、第１軸部３４における先端側の部分及び第２軸部３３が、第１軸部３４における把持部３９側の部分及び把持部３９に対して、斜め方向に延びている。
【００８１】
本変形例に係る押圧器具３ａは、上述のように、その先端部分が屈曲している。このような押圧器具３ａを用いれば、押圧器具３ａで切除ガイド部２を押圧する際、押圧器具３ａを切除ガイド部２から大きく外側へ離間させることが可能となる。これにより、大腿骨遠位端１０１の切除を行う際におけるボーンソー５０と押圧器具３ａとの干渉を防止できる。
【００８２】
（４）図１５は、変形例に係る人工膝関節置換術用手術器具１ｂの使用形態の一例を示す斜視図である。
【００８３】
本変形例に係る人工膝関節置換術用手術器具１ｂの切除ガイド部２ａは、上記実施形態の切除ガイド部２の場合と比べて、被当接部としての被当接凹部１８の代わりに、被連結部としての貫通孔部４９が設けられている。また、本変形例に係る人工膝関節置換術用手術器具１ｂの押圧器具３ｂは、上記実施形態の押圧器具３の場合と比べて、当接部３５の代わりに、連結部としてのフック部４５が設けられている。
【００８４】
貫通孔部４９は、切除ガイド部２の下面の中央部分に設けられていて、左右方向から視たその中央部分には貫通孔４９ａが形成されている。
【００８５】
フック部４５は、押圧器具３ｂの軸部３１の先端側（上端面側）に設けられている。具体的には、フック部４５は、軸部３１の先端部から円弧状に延びる鉤爪状に形成されている。フック部４５は、その先端部分が貫通孔部４９の貫通孔４９ａに挿入されることにより、貫通孔部４９に引っかけられる。これにより、フック部４５は、切除ガイド部２の貫通孔部４９に対して着脱自在に連結される。
【００８６】
本変形例に係る人工膝関節置換術用手術器具１ｂは、以下のように使用することができる。具体的には、まず、上記実施形態に係る人工膝関節置換術用手術器具１が使用される場合と同じようにして、切除ガイド部２ａが、大腿骨遠位端１０１の骨切り面１０１ａに固定される。そして、そのようにして固定された切除ガイド部２ａの貫通孔部４９の貫通孔４９ａに、押圧器具３ｂのフック部４５を挿通させて引っ掛けた状態で、押圧器具３ｂを大腿骨遠位端１０１側へ押圧する。これにより、スリット１２，１３，１４ａ，１４ｂに沿ってボーンソー５０を動かして大腿骨遠位端１０１の各部位を切断する際に、切除ガイド部２ａが大腿骨遠位端１０１から浮き上がってしまうことを防止できる。
【００８７】
しかも、本変形例によれば、押圧器具３ｂによって切除ガイド部２ａが押圧される際、一方が他方に対して引っ掛けられた状態となる。よって、押圧器具３ｂによって切除ガイド部２ａを押圧する際、押圧器具３ｂが切除ガイド部２ａから外れてしまうことを防止できる。言い換えれば、押圧器具３ｂによる切除ガイド部２ａの押圧状態を維持することができる。
【００８８】
なお、本変形例では、押圧器具３ｂに連結部としてのフック部４５が設けられる一方、切除ガイド部２ａに被連結部としての貫通孔部４９が設けられている例を挙げて説明したが、これに限らない。具体的には、押圧器具に連結部としての貫通孔部が設けられる一方、切除ガイド部に被連結部としてのフック部が設けられていてもよい。
【００８９】
（５）上述した実施形態では、被当接部としての被当接凹部１８が切除ガイド部２の中央部分付近に形成されている例を挙げて説明した。また、図１５を用いて説明した変形例では、被連結部としての貫通孔部４９が切除ガイド部２ａの中央部分付近に形成されている例を挙げて説明した。しかし、これに限らず、被当接部及び被連結部は、切除ガイド部におけるその他の部分に形成されていてもよい。
【００９０】
（６）上述した実施形態及び各変形例では、被当接部又は被連結部が、切除ガイド部に１つ、設けられている例を挙げて説明したが、これに限らない。具体的には、被当接部又は被連結部は、切除ガイド部に複数、形成されていてもよい。
【産業上の利用可能性】
【００９１】
本発明は、人工膝関節置換術の際に用いられる人工膝関節置換術用手術器具として、広く適用することができる。
【符号の説明】
【００９２】
１，１ａ，１ｂ              人工膝関節置換術用手術器具
２，２ａ                    切除ガイド部
３，３ａ，３ｂ              押圧器具（押圧部）
５                          固定ピン
１２                        前側スリット（スリット）
１３                        後側スリット（スリット）
１４ａ                      前側チャンファー用スリット（スリット）
１４ｂ                      後側チャンファー用スリット（スリット）
１８，２３〜２７            被当接凹部（被当接部）
２８，２９                  被当接部
３１，３４                  軸部
３５，４１，４２，４３      当接部
３９                        把持部
４４                        連結部
４５                        フック部（連結部）
４８                        連結用溝（被連結部）
４９                        貫通孔部（被連結部）
５０                        ボーンソー（切除刃）
１０１                      大腿骨遠位端
【図１】
2018166637.tif 000003
【図２】
2018166637.tif 000004
【図３】
2018166637.tif 000005
【図４】
2018166637.tif 000006
【図５】
2018166637.tif 000007
【図６】
2018166637.tif 000008
【図７】
2018166637.tif 000009
【図８】
2018166637.tif 000010
【図９】
2018166637.tif 000011
【図１０】
2018166637.tif 000012
【図１１】
2018166637.tif 000013
【図１２】
2018166637.tif 000014
【図１３】
2018166637.tif 000015
【図１４】
2018166637.tif 000016
【図１５】
2018166637.tif 000017